(57)【要約】【課題】国際海洋コンテナに改造を加えず十分に採光を取ることができ、室内高級化を低コストで行うことができるコンテナハウスを構築する。【解決手段】国際分業でコンテナハウスをユニット化し、外国製室内装飾ガラスや特殊家具などを用いることで高級感を出し、低コスト化を行うことができる。【選択図】図４
2009150110.tif 000002
【特許請求の範囲】
【請求項１】
新たな穴あけや溶接による部材取り付けを全くしないオリジナル状態の海洋コンテナ開口部に取り付ける構造物が、出入り口と採光部と通路とエアコン器具及び電力、給排水などユーティリティ接続部を持ち、下部コンクリート床にタイル・石など化粧材を貼り付け、壁のコンクリートモルタルにタイル・石など化粧材を貼り付け、中央に鉄製防火ドアを設け、左右に片方または両方に開閉可能なガラス窓、必要によってはネット入り防火ガラス窓を取り付けることにより住居とするコンテナハウス構造体。
【請求項２】
コンテナに内装するバス及びシャワー設備とトイレなどを有し、排水口とタイルまたは石貼りの床を持つフロアーと、内部に２つに折れ曲がって開閉する小さいドアを有する一面の壁、他の1面は洗濯機などのスペースを除いた約半分の長さの洗面化粧台を有する二面とからなる構造体をコンテナの奥にコンテナ内側の止め具に固定設営する一体構造のコンテナ内をスライドできる構造にしたことを特徴とするコンテナ用ユニットバス。
【請求項３】
新たな穴あけや溶接による部材取り付けを全くしないオリジナル状態の海洋コンテナ開口部に、出入り口用に０．５メートルから１．３メートル幅で高さが２．３メートル以下のドアを正面中央部から直角方向に設け、正面方向に採光用に２箇所に分割した合計１平方メートル以上６平方メートル以下の採光部を設け、その採光部の３０から１００パーセントを開閉可能なスライド構造の窓とし、どちらか片方の下部に電気・水道・排水・排気・通信のケーブル及び管の集中接続部をもち、前面に通路と側面にエアコン器具を取り付けたことを特徴とする構造物を取り付けた構成のコンテナハウス。
【請求項４】
開口部取り付け構造物において、内側には照明器を室内用とキッチン用、入り口上部、通路の４箇所に取り付け、ドアには鍵信号、外部信号からの電気ロック機能を取り付け、水道積算器・電気積算器・内部側に火災報知機、内部にスプリンクラーと電磁弁を取り付け、これらの作動信号をインターネットにより、出入力制御を可能とする機能をもったハウス。
【発明の詳細な説明】
【技術分野】
【０００１】
本発明は、住宅・事務所など建築構造物を、国際分業で製造したコンテナハウスユニットを利用して、効率的に作る為の建設法に関するものである。
【背景技術】
【０００２】
海洋コンテナを改良し利用した住宅、事務所、商店、倉庫など建築構造は、国際的には一般的である。しかし、国際基準の海洋コンテナを穴あけ、部材の溶接など全くしないで（無改造）これらを可能にした例は見当たらない。その理由は、開口部が狭いのでドアなど必要面積を取れば採光の面積が取れない。内部が鉄板であり、内装が困難であり、生活に必要な換気、照明、空調など工事が簡単ではない。よって、従来は困難な工事をともなうので、コンテナをそのまま使用せず、穴あけなど改造して使用するのが一般であった。
【発明の開示】
【発明が解決しようとする課題】
【０００３】
解決しようとする問題点は、国際規格の海洋コンテナでコンテナハウスの構造全てを物流するには、オリジナルの海洋コンテナを一切改造できない点。
【０００４】
ユニット化して内部に組み入れて、開口部のドアを開ければ建築構造物としなければならない点。
【０００５】
規準の採光面積の確保や電力・給排水の接続、人の出入りと通路を確保しなければならない点である。
【課題を解決するための手段】
【０００６】
本発明では、開口部に出入り口を直角に配置して、採光部の面積を大きく取れるようにして、２０・４０フィートコンテナに必要な面積を確保する。次いで、後部にはバスユニットを置くことで、コンテナ特有の長さに関して、基本問題を解決する。次に、壁面の取り付けである。これはコンテナの内部フック前に側壁面を覆う一体の断熱板、天井には側壁面間をブリッジ構造で上部より落とし込む構造でコンテナのキューブ（四辺形）特性を利用して天井材の固定、最後に側壁間に床板（大理石など圧縮に強い材料）を置くことにより周囲の内面を内装することができる。
【０００７】
内部は幅が狭いので、機能的な家具を設けて、通路を確保すれば解決する。感覚的な広さ確保については鏡の採用で問題解決を図れる。構造フレームを必要とするユニットは前部の玄関ユニットと後部のバスユニットであり、これら2つのユニットに全てのユーティリティを配置することで、そのユニットを壁材の設置後、スライドしてユニット収納、玄関ユニットに通路をつけて、コンテナのフックに固定する。
【発明の効果】
【０００８】
本発明のコンテナハウスの構造は、全ての部材をコンテナ内部収納ユニット化することで、国際輸送を可能にし、国際分業も可能にする。そして最も適する国際工場で大量生産する。これら共通の仕様で造られたユニット部材を目的に合わせて組み合わせ目的地でブロック組み立てを行い、建設効率を最大限向上させることができる。
【発明を実施するための最良の形態】
【０００９】
本発明の実施形態は、図１，図２，図３に示す３種に大別できる。図１はリゾート・ドミトリーなど森の中に構築のコンテナハウス。自然にやさしくするため、基礎部を出来るだけ小さくする１ａの上げ床構造、図１は３段５連右階段の組立てを示す。１ｂは上げ床で２段３連右階段、１ｃは１段１連で、１ｄは標準階段を示す。海洋コンテナを用いたハウジングは自由な組み合わせを選択できることを示している。図２は、ビルディングを構築するコンテナハウスを示す。２ａはコンテナハウスの側壁面でコンテナを積み上げて構築されていることを示す。２ｂはコンテナハウスの架台、２ｃはエレベータホールを示す。一般の建築ビルと同じく、コンテナを積層可能な基礎台を作り、エレベータタワーをつければ、個室積層ビルができる。図３は、駐車場に集合住宅を構築するコンテナハウスを示す。コンテナは鉄製であり、夏場などでは太陽光による加熱で内部が６０度にもなるので、３ａに示す断熱材内装の屋根材が必要である。駐車場の上に建設する場合などでは、コンテナは軽量であり強固なことから電柱のような穴支柱基礎で３ｂに示すように駐車場に３ｃの鉄骨基礎、３ｄの標準階段を用いて設営できる。
【００１０】
国際規格の海洋コンテナは、単なる物流保管庫であり容器である。これを用いて住居とするには、必要な建築物の構築がいる。さらに国際分業を可能にするユニット化を必要とする。これを可能とした本発明の内装建材のユニット構成詳細は図４のコンテナハウスの基本構成に示す。国際規格の海洋コンテナが４ａ、４ｂがコンテナのドアで全ての建材をドア内に収納して、ドア開放後に玄関ユニットを引き出した状態を示している。断熱と美観から４ｃのコンテナの外壁材が取り付けられ、４ｄのコンテナのコーナー８点フックはコンテナ間の結合及び基礎との結合と外壁、階段など全てと結合させる。４ｅは開口部ユニット（玄関ユニット）を示し取り付けは４ｅに付く。４ｆは手すり、４ｇは電源制御盤であり給排水・電力・通信の結線箱もすべて玄関ユニットに内装される。４ｈは正面と直角方向に付けられた玄関ドアであり取り付けには採光に配慮した直角面が必要である。４ｉに示す2分割の採光ガラス窓により規準面積率の採光が得られる。その他４ｊのキッチンの排気ファン、４ｋのキッチンシンク、４ｌの玄関全面暗幕カーテン、４ｍの玄関ユニット収納エアコン室外機と室内機もユニットに取り付ける。４ｎは冷蔵庫で玄関ユニットを取り付けた後配置する。
【００１１】
４ｏはバスユニットを示し、４ｐのバスタブ、４ｑの手洗い、４ｒのバス室ドア、４ｓの洗濯機、４ｔの水洗トイレ、４ｕのバス室照明、４ｖの室内照明（バスユニット側壁取り付け、キッチンユニット取り付けと２灯）を架台にユニット化する。給排水・電気・排気の配管なども組み込む。洗濯機なども組み入れることを可能にする。バスユニットはフレームを持ち、ユニットで引き込み収納した後、コンテナの側面フックに固定する。最終的に水回りのコーキングを行えば、完成する。このユニットと玄関ユニットとはつなぐ。つなぎ配管は下のコーナにボックスで固定収納する構造を採用する。これらの構成により、主要建材は全てユニット化ができる。
【００１２】
コンテナは小スペースであることから、大容量の生活収納庫と机、テレビなどのスペースが必要。４ｗは家具ユニット（洋服ダンス内装）、４ｘの家具ユニット（テレビ収納ボックス内装）、４ｙのテレビ電源コンセント・アンテナ線コネクタ、４ｚのインターネットコネクタ・電源コンセント、４Ａの落下式片方ひんじの前面ドア机の自由な組み合わせができるボックスをユニット化することで、必要位置に壁面に平面配置でき、この問題を解消する。床材は側壁材の内側に設置して全体の内装材を固定する必要から、４Ｂの断熱防音層を下面にひき、上面に大理石床を設けることで構造面の横方向圧縮力と美的な表面及び騒音と断熱を得る。側壁は４Ｃの断熱防音層を持つ強化ガラスの鏡、４Ｄの断熱防音層を持つ背面カラーフィルムコートした強化ガラス壁、４Ｅの断熱防音層を持つ強化ガラスの鏡を採用する。これらの強化ガラスの周囲には金属製の額縁を設けて、移動と固定を行う。固定は片側面を建て、コンテナの内部フックで固定、天井をはめ込み、反対側の壁を立てることで、門型を形成する。その後床を構成して内装の壁、天井を完成する。
【００１３】
その他家具については、４Ｆの床下収納のベッド、４Ｇのベッドに取り付けた電源コンセント、４Ｈの強化ガラスを切り抜いて収納する落下式食卓テーブル、４Ｉ食卓テーブル用椅子などが必要となる。コンテナハウスは、目的によってこれらの家具類を選択配置することで、住宅、事務所、駐在現場事務所、ロッジ、倉庫などの用途向けに構築できる。
【００１４】
国際分業で建材ユニットを生産可能にするには、それぞれをまとめることである。図５の中央にはコンテナに全てを収納した状態と周囲にはコンテナから引き出した各ユニットの分割を示す。５ａは開口部ユニット（玄関ユニット）、５ｂは正面と直角方向に付けられた玄関ドア、５ｃは２分割の採光ガラス窓、５ｄはキッチンシンク、５ｅは玄関ユニット収納エアコン室外機と室内機で玄関ユニットを構築する。
【００１５】
５ｆのバスユニットは、５ｇのバスタブ、５ｈの手洗い、５ｉの洗濯機、５ｊの水洗トイレから構成する。そのフレームは５ｋのバスユニットフレームである。同様に５ｌの家具ユニットは、５ｍのテレビ収納ボックス内装、５ｎのテレビ電源コンセント・アンテナ線コネクタ、５ｏの落下式片側ひんじの前面ドア机のボックスを自由配置可能にしたユニットとして構成される。内装壁や床も同様に５ｐの断熱防音層を持つ大理石床、５ｑの断熱防音層を持つ強化ガラスの鏡、５ｒの断熱防音層を持つ背面カラーフィルムコートした強化ガラス壁、５ｓの断熱防音層を持つ強化ガラスの鏡からなるユニットとして構成される。
【００１６】
各ユニットでフレーム構造を持つのは図６に示すバス・玄関ユニットである。フレームは海洋コンテナの６ｂコーナー８点フックで固定される。内部は６ｃのコンテナの内部側面にあるフックに固定される。外装構造材は図７に示すように、外装パネル、基礎鉄骨、階段ユニットから構成される。コンテナハウスの組み立ては、内装材を除くと７ａの海洋コンテナに、７ｂのコンテナの外壁材、７ｃのコンテナ屋根外壁材、７ｄのコンテナ背面外壁材、７ｅの開口部ユニット（玄関ユニット）、７ｆの玄関ユニットの上下空間隠し外壁板、７ｇの玄関ユニットの側面空間隠し外壁板、７ｈの玄関ユニットの床つなぎ空間板、７ｉの鉄骨の基礎支柱、７ｊの鉄骨くの字形階段ユニットから構成され、７ｋ給排水・電力・通信ケーブルの接続で完成する。
【００１７】
バスユニットの構造は図６に示すように、下面フレームと前面鋼材フレームからなり、６ｎに示す下面フレーム併用の排水管と６ｏに示す前面排気管併用フレームの機能性を持つ構造とする。床は防水でタイル・石など化粧、バスは上からおく形式で便器、手洗い、洗濯機を配置する。配置はバスタブと洗濯機と手洗いを対象にしてトイレを中心におく。手洗いは前面でベットの反対面に置く。前面壁内には必要配管と継手、電気配線とスイッチ、壁内外面には照明器具などを取り付ける。コンテナとの接合はコンテナ内部にある荷物固定用フックに固定する構造とする。バス室のバスユニットと壁面の防水はコーキング材などで行う。
【００１８】
外装構造材は図７に示すように、外装パネル、基礎鉄骨、階段ユニットから構成される。コンテナハウスの組み立ては、内装材を除くと７ａの海洋コンテナに、７ｂのコンテナの外壁材、７ｃのコンテナ屋根外壁材、７ｄのコンテナ背面外壁材、７ｅの開口部ユニット（玄関ユニット）、７ｆの玄関ユニットの上下空間隠し外壁板、７ｇの玄関ユニットの側面空間隠し外壁板、７ｈの玄関ユニットの床つなぎ空間板、７ｉの鉄骨の基礎支柱、７ｊの鉄骨くの字形階段ユニットから構成され、７ｋ給排水・電力・通信ケーブルの接続で完成する。
【００１９】
図８は、給排水・電気・通信ケーブルの集中接続についての詳細である。発明のコンテナハウスの特徴の1つの集中接続ボックスに外部からコネクタ接続により、ハウジング機能ができることにある。そして安全を確保し自動で管理する方法は、特別に開発したインターネットによる情報一元化の構築である。全てのユーティリティを電子信号で情報処理するため、ドアには開閉センサーと電子認証機能（ＩＣカードなど使用）による電磁石のロックとメカロックを併用し、遠隔地でのコントロールを可能にする。水道・電気・温水などは積算計器に積算数値の出力機能付きを採用し、火災報知機、その他防災信号を合わせて一括情報処理して、自動管理と管理センターに情報発信するように構成。使用者の契約遂行の管理も自動的に内部テレビ併用コンピュータで表示する。なお、契約終了時は入室を自動ロックすることも可能である。また、電話などインターホン機能の通信はネットケーブルによるインターネット利用の集中管理サービスで接続する。
【００２０】
以上、本発明の構造と機能によるコンテナの複数組み立ての集合住居は、コンテナ機能と玄関ユニットの通路機能により自由構成で多数個の積層ができる。そして各コンテナのユーティリティは集中接続ボックスとのコネクタ接続で簡単に工事ができ、インターネットによる集中管理による情報一元化自動管理も行うことができる。
【図面の簡単な説明】
【００２１】
【図１】リゾート・ドミトリーなどの構造を示した図である。
【図２】ビルディングなどの構造を示した図である。
【図３】集合住宅などの構造を示した図である。
【図４】コンテナハウスの基本構成を示した説明図である。
【図５】収納内装ユニットを引出した内装構成を示した説明図である。
【図６】バス・玄関ユニットフレームの構造を示した説明図である。
【図７】外装パネル、基礎、階段ユニットから構成するコンテナハウスを示した説明図である。
【図８】コンテナハウス電気計装ユニット
【符号の説明】
【００２２】
１ａ  上げ床２．１メートル３段５連右階段
１ｂ  上げ床２．１メートル２段３連右階段
１ｃ  １段１連
１ｄ  標準階段
２ａ  コンテナハウスの側壁面
２ｂ  コンテナハウスの架台
２ｃ  エレベーターホール
３ａ  断熱材内装の屋根材
３ｂ  駐車場（駐車場上に設営）
３ｃ  鉄骨基礎
３ｄ  標準階段
４ａ  海洋コンテナ
４ｂ  コンテナのドア
４ｃ  コンテナの外壁材
４ｄ  コンテナのコーナー８点フック
４ｅ  開口部ユニット（玄関ユニット）
４ｆ  手すり
４ｇ  電子制御版
４ｈ  正面と直角方向に付けられた玄関ドア
４ｉ  ２分割の採光ガラス窓
４ｊ  キッチンの排気ファン
４ｋ  キッチンシンク
４ｌ  玄関前面暗幕カーテン
４ｍ  玄関ユニット収納エアコン室外機と室内機
４ｎ  冷蔵庫
４ｏ  バスユニット
４ｐ  バスタブ
４ｑ  手洗い
４ｒ  バス室ドア
４ｓ  洗濯機
４ｔ  水洗トイレ
４ｕ  バス室照明
４ｖ  室内照明（バスユニット側面取付、キッチンユニット取付）
４ｗ  家具ユニット（洋服ダンス内装）
４ｘ  家具ユニット（テレビ収納ボックス内装）
４ｙ  テレビ電源コンセント・アンテナ線コネクタ
４ｚ  インターネットコネクタ・電源コンセント
４Ａ  落下式片側ヒンジの前面ドア机
４Ｂ  断熱防音層を持つ大理石床
４Ｃ  断熱防音層を持つ強化ガラスの鏡
４Ｄ  断熱防音層を持つ背面カラーフィルムコートした強化ガラス壁
４Ｅ  断熱防音層を持つ強化ガラスの鏡
４Ｆ  床下収納のベッド
４Ｇ  ベッドに取り付けた電源コンセント
４Ｈ  強化ガラスを切り抜いて収納する落下式食卓テーブル
４Ｉ  食卓テーブル用椅子
５ａ  開口部ユニット（玄関ユニット）
５ｂ  正面と直角方向に付けられた玄関ドア
５ｃ  ２分割の採光ガラス窓
５ｄ  キッチンシンク
５ｅ  玄関ユニット収納エアコン室外機と室内機
５ｆ  バスユニット
５ｇ  バスタブ
５ｈ  手洗い
５ｉ  洗濯機
５ｊ  水洗トイレ
５ｋ  バスユニットフレーム
５ｌ  家具ユニット
５ｍ  家具ユニット（ＴＶ収納ボックス内装）
５ｎ  テレビ電源コンセント・アンテナ線コネクタ
５ｏ  落下式片側ひんじの前面ドア机
５ｐ  断熱防音層を持つ大理石床
５ｑ  断熱防音層を持つ強化ガラスの鏡
５ｒ  断熱防音層を持つ背面カラーフィルムコートした強化ガラス壁
５ｓ  断熱防音層を持つ強化ガラスの鏡
５ｔ  床下収納のベッド
６ａ  海洋コンテナ
６ｂ  コンテナのコーナー８点フック
６ｃ  コンテナの内部側面にあるフックに固定
６ｄ  玄関ユニットフレーム
６ｅ  手すり
６ｆ  表面タイル・石の鉄筋コンクリート床
６ｇ  ８本上下面フレーム
６ｈ  ４本支柱フレーム
６ｉ  表面タイル・石の側面防火壁
６ｊ  防火網入りガラス窓
６ｋ  防火網入り開閉式ガラス窓
６ｌ  表面タイル・意思の防水床
６ｍ  バス内面表面タイル・石壁で室内面は表面化粧の防火板
６ｎ  フレーム兼用の排水管
６ｏ  フレーム兼用の排気角管
６ｐ  ダクトの排気穴
７ａ  海洋コンテナ
７ｂ  コンテナの外壁材
７ｃ  コンテナの屋根用外壁材
７ｄ  コンテナの背面外壁材
７ｅ  開口部ユニット（玄関ユニット）
７ｆ  玄関ユニット上下空間隠し外壁板
７ｇ  玄関ユニットの側面空間隠し外壁板
７ｈ  玄関ユニットの床つなぎ空間板
７ｉ  鉄骨の基礎支柱
７ｊ  鉄骨くの字形階段ユニット
７ｋ  給排水・電力・通信ケーブル
８ａ  ブレーカ盤
８ｂ  集中接続部
８ｃ  電子情報制御装置
８ｄ  コンテナの背面外壁材
８ｅ  CPU
８ｆ  電力ケーブル
８ｇ  インターネットケーブル
８ｈ  信号電線
８ｉ  水道・温水配管
８ｊ  水道積算計
８ｋ  温水積算計
８ｌ  排水管
【図１】
2009150110.tif 000003
【図２】
2009150110.tif 000004
【図３】
2009150110.tif 000005
【図４】
2009150110.tif 000006
【図５】
2009150110.tif 000007
【図６】
2009150110.tif 000008
【図７】
2009150110.tif 000009
【図８】
2009150110.tif 000010